(57)【要約】【課題】カラー画像情報と白黒の無彩色画像情報とを区別することなくセキュリティ性の高い偽造防止が実現可能となる証明書等の偽造防止方法を提供する。【解決手段】本人認証のための人物の顔画像および前記人物の顔画像を保証するために前記人物の顔画像に対し文字や画像などから構成されたセキュリティ情報を不可視状態で埋込んだ合成画像情報を身分証明書等の別の位置にそれぞれ記録する。【選択図】      図１
2007202209.tif 000002
【特許請求の範囲】
【請求項１】
本人認証のための人物の顔画像および前記人物の顔画像を保証するためにセキュリティ情報を不可視状態で埋込んだ合成画像情報を身分証明書等の別の位置にそれぞれ記録することを特徴とする証明書等の偽造防止方法。
【請求項２】
本人認証のための人物の顔画像および前記人物の顔画像を保証するために前記人物の顔画像に対し文字や画像などから構成されたセキュリティ情報を不可視状態で埋込んだ合成画像情報を身分証明書等の別の位置にそれぞれ記録することを特徴とする証明書等の偽造防止方法。
【請求項３】
前記人物の顔画像および合成画像情報を別々に記録する際、身分証明書等の材質を変更することや透かしを入れるなどのセキュリティ性を高める手段が施されている所に記録することを特徴とする請求項１または請求項２記載の証明書等の偽造防止方法。
【請求項４】
前記合成画像情報は、人間の視覚的には白黒の無彩色画像情報に見えるが、画素単位では複数の色で構成されるように作成することを特徴とする請求項１または請求項２記載の証明書等の偽造防止方法。
【請求項５】
前記セキュリティ情報に氏名、生年月日などの個人情報を用いることを特徴とする請求項１または請求項２記載の証明書等の偽造防止方法。
【請求項６】
前記合成画像情報は、人物の顔画像などからなる被埋込み画像情報を無彩色画像情報に変換するとともに、文字や画像などからなる埋込み画像情報により、あらかじめ設定される所定のパターン画像情報に対して変調を施すことによりパターン変調画像情報を作成し、この作成したパターン変調画像情報に所定の色差量を乗じ、この色差量を乗じたパターン変調画像情報を前記無彩色画像情報に変換された被埋込み画像情報に対して重畳してなることを特徴とする請求項２記載の証明書等の偽造防止方法。
【発明の詳細な説明】
【技術分野】
【０００１】
本発明は、本発明は、たとえば、主画像情報（人物の顔画像など）に別の付加的な画像情報（セキュリティ情報など）を重畳して記録するための画像情報処理方法を用いた証明書等の偽造防止方法に関する。
【背景技術】
【０００２】
近年、情報の電子化やインターネットの普及に伴って電子透かし、電子署名などの技術が重要視されるようになってきている。それらの一分野として、「画像深層暗号」と呼ばれる特殊な暗号形式の研究が進められている。この技術は、主画像情報に対して付加情報を不可視状態で埋込み記録するもので、たとえば、顔写真が印刷された身分証明書や著作権情報を埋込んだ写真に対する不正コピー、偽造、改ざん対策に有効である。
【０００３】
たとえば、「カラー濃度パターンによる画像へのテキストデータの合成符号化法」について、疑似階調表現されたデジタル画像に対して情報を重畳する方法が開示されている（たとえば、非特許文献１参照）。  
また、カラー複写機のハードコピー出力から、記録したカラー複写機などを特定できる方式について開示されている（たとえば、特許文献１参照）。  
さらに、カラー画像の中にモノクロ２値画像を色差を利用して埋込む方法について開示されている（たとえば、特許文献２参照）。
【非特許文献１】画像電子学会誌、１７−４（1988年）、ｐｐ１９４−１９８
【特許文献１】特開平４−２９４８６２号公報
【特許文献２】特開平９−２４８９３５号公報
【発明の開示】
【発明が解決しようとする課題】
【０００４】
ところが、上述した従来の画像情報の処理技術は、全てカラー画像情報のみ対象になっていて、白黒の無彩色画像情報は対象外であった。  
そこで、本発明は、カラー画像情報と白黒の無彩色画像情報とを区別することなくセキュリティ性の高い偽造防止が実現可能となる証明書等の偽造防止方法を提供することを目的とする。
【課題を解決するための手段】
【０００５】
本発明の証明書等の偽造防止方法は、本人認証のための人物の顔画像および前記人物の顔画像を保証するためにセキュリティ情報を不可視状態で埋込んだ合成画像情報を身分証明書等の別の位置にそれぞれ記録することを特徴とする。
【０００６】
また、本発明の証明書等の偽造防止方法は、本人認証のための人物の顔画像および前記人物の顔画像を保証するために前記人物の顔画像に対し文字や画像などから構成されたセキュリティ情報を不可視状態で埋込んだ合成画像情報を身分証明書等の別の位置にそれぞれ記録することを特徴とする。
【発明の効果】
【０００７】
本発明によれば、カラー画像情報と白黒の無彩色画像情報とを区別することなくセキュリティ性の高い偽造防止が実現可能となる証明書等の偽造防止方法を提供できる。
【発明を実施するための最良の形態】
【０００８】
以下、本発明の実施の形態について図面を参照して説明する。  
まず、第１の実施の形態について説明する。  
図１は、本実施の形態に係る画像情報処理方法の流れを説明するためのフローチャートを示している。以下、このフローチャートを参照して画像情報処理方法の流れを説明する。
【０００９】
まず、用いる画像情報について説明しておくと、被埋込み画像情報１０１は、埋込み情報が埋込まれるカラー画像情報で、身分証明書では所有者の顔写真（人物の顔画像）に相当する。これは、１画素当たり２４ビット（Ｒ，Ｇ，Ｂ各８ビット）の情報を持っている。埋込み画像情報１０２は、埋込む情報を２値画像で表現したもので、セキュリティ情報に対応しており、発行元のロゴマークなどを用いる。これは、１画素あたり１ビットの情報を持っている。マスク画像情報（パターン画像情報）１０３は、合成処理および埋込み画像情報の復元に用いる鍵画像情報で、１画素あたり１ビットの情報を持っている。
【００１０】
最初に、平滑化処理ステップ１０４において、埋込み画像情報１０２の黒画素を「１」、白画素を「０」として平滑化処理を行なう。ここでは、ｘ方向について注目画素の両端の画素を取り、３×１画素の領域を切り出し、下記式（１）のように重み平均を取る。  
Ｗ（ｉ）＝（ＳＴＬ（ｉ−１）＋２・ＳＴＬ（ｉ）  
＋ＳＴＬ（ｉ＋１））／４……（１）  
Ｗ（ｉ）    ：ｘ＝ｉ画素の重み平均値  
ＳＴＬ（ｉ）：ｘ＝ｉ画素の埋込み画像情報＝１ ｏｒ ０  
たとえば、マスク画像情報１０３が図２で、埋込み画像情報１０２が図３の場合、平滑化処理の結果は図４に示すようになる。
【００１１】
次に、位相変調ステップ１０５において、平滑化処理ステップ１０４における平滑化処理の結果を基に、下記式（２−１）〜（２−３）の規則にしたがい、マスク画像情報１０３の位相変調を行なう。  
Ｗ（ｉ）＝０の場合→ＳＴＬ２（ｉ）＝ＭＳＫ（ｉ）  ……（２−１）  
Ｗ（ｉ）＝１の場合→ＳＴＬ２（ｉ）＝ＭＳＫ（ｉ＋２）…（２−２）  
上記以外の場合    →ＳＴＬ２（ｉ）＝ＭＳＫ（ｉ＋１）…（２−３）  
ＳＴＬ２（ｉ）：ｘ＝ｉ画素の位相変調結果＝１ ｏｒ ０  
ＭＳＫ（ｉ）：ｘ＝ｉ画素のマスク画像情報＝１ ｏｒ ０  
ここで、ｘ＝０列およびｘ＝１５列は、画像情報の端のため平滑化処理できず、そのため位相変調もできない。そこで、端部ではマスク画像情報１０３と埋込み画像情報１０２との排他的論理和を取る。ここに、位相変調の結果例を図５に示す。
【００１２】
次に、色差変調ステップ１０６において、位相変調ステップ１０５における位相変調結果を基に、下記式（３−１）〜（３−６）の規則にしたがい、色差変調処理を行なう。この場合、Ｒ（赤）、Ｇ（緑）、Ｂ（青）の３成分を別々に計算する。ここに、赤成分の色差変調結果の例を図６に示す。  
ＳＴＬ２（ｉ）＝１の場合→ＳＴＬ２Ｒ（ｉ）＝−ΔＶ……（３−１）  
→ＳＴＬ２Ｇ（ｉ）＝＋ΔＶ……（３−２）  
→ＳＴＬ２Ｂ（ｉ）＝＋ΔＶ……（３−３）  
ＳＴＬ２（ｉ）＝０の場合→ＳＴＬ２Ｒ（ｉ）＝＋ΔＶ……（３−４）  
→ＳＴＬ２Ｇ（ｉ）＝−ΔＶ……（３−５）  
→ＳＴＬ２Ｂ（ｉ）＝−ΔＶ……（３−６）  
ＳＴＬ２Ｒ（ｉ）：ｘ＝ｉ画素の色差変調結果  赤成分  
−２５５〜２５５の範囲の整数  
ＳＴＬ２Ｇ（ｉ）：ｘ＝ｉ画素の色差変調結果  緑成分  
−２５５〜２５５の範囲の整数  
ＳＴＬ２Ｂ（ｉ）：ｘ＝ｉ画素の色差変調結果  青成分  
−２５５〜２５５の範囲の整数  
なお、色差量ΔＶは、あらかじめ設定してある「０〜２５５」の範囲の整数である。色差量ΔＶは、大きいほど埋込み画像情報の復元時の可視化のコントラストが高くなり、再生が容易ではあるが、あまり大きくしすぎると埋込み情報が露見しやすくなる。したがって、色差量ΔＶは、「１６〜９６」くらいが望ましいが、ここではΔＶ＝４８を用いている。
【００１３】
次に、無彩色化処理ステップ１０７において、被埋込み画像情報１０１の無彩色化処理を行なう。これれは、各画素のＲ，Ｇ，Ｂ成分を単純平均することにより実現される。たとえば、被埋込み画像１０１の全ての画素の値が（Ｒ，Ｇ，Ｂ）＝（１８０，２０，１８１）の場合、無彩色化により、（Ｒ，Ｇ，Ｂ）＝（１２７，１２７，１２７）に修正される。
【００１４】
次に、重畳処理ステップ１０８において、色差変調ステップ１０６における色差変調結果と無彩色化処理ステップ１０７における無彩色化処理結果とから、下記式（４−１）〜（４−３）で示される重畳処理を行なうことにより、合成画像情報を作成する。  
ＤＥＳＲ（ｉ）＝ＳＴＬ２Ｒ（ｉ）＋ＳＲＣＲ（ｉ）……（４−１）  
ＤＥＳＧ（ｉ）＝ＳＴＬ２Ｇ（ｉ）＋ＳＲＣＧ（ｉ）……（４−２）  
ＤＥＳＢ（ｉ）＝ＳＴＬ２Ｂ（ｉ）＋ＳＲＣＢ（ｉ）……（４−３）  
ＤＥＳＲ（ｉ）：ｘ＝ｉ画素の重畳処理結果  赤成分  
０〜２５５の範囲の整数  
ＤＥＳＧ（ｉ）：ｘ＝ｉ画素の重畳処理結果  緑成分  
０〜２５５の範囲の整数  
ＤＥＳＢ（ｉ）：ｘ＝ｉ画素の重畳処理結果  青成分  
０〜２５５の範囲の整数  
ＳＲＣＲ（ｉ）：ｘ＝ｉ画素の被埋込み画像情報  赤成分  
０〜２５５の範囲の整数  
ＳＲＣＧ（ｉ）：ｘ＝ｉ画素の被埋込み画像情報  緑成分  
０〜２５５の範囲の整数  
ＳＲＣＢ（ｉ）：ｘ＝ｉ画素の被埋込み画像情報  青成分  
０〜２５５の範囲の整数  
なお、ＤＥＳＲ（ｉ）、ＤＥＳＧ（ｉ）、ＤＥＳＢ（ｉ）は、それぞれ「０〜２５５」の範囲の整数なので、計算結果が「０」以下の場合は「０」に設定し、「２５５」以上の場合は「２５５」に設定する。
【００１５】
ここに、無彩色化された被埋込み画像情報１０１の全ての画素が（Ｒ，Ｇ，Ｂ）＝（１２７，１２７，１２７）の場合の赤成分の結果を図７に示す。全ての値は「０〜２５５」の範囲の整数を取り、「２５５」が一番赤成分が多いことを示す。図７において、（０，０）画素の値＝７９、（１，０）画素の値＝７９、（２，０）画素の値＝１７５…と、埋込み画像情報の埋込まれていない部分では２画素単位で、赤色成分が少ない画素と赤色成分が多い画素とが繰り返される。
【００１６】
前記式（３−１）〜（３−３）または前記式（３−４）〜（３−６）の通り、赤色と緑色、青色の色差量の符号が反転している。したがって、赤色成分の多い画素では緑色と青色が少なくなっていて、赤色成分の少ない画素では他の成分が多くなっている。赤色とシアン色（＝緑色＋青色）は補色の関係にあり、赤色とシアン色が隣り合っていても人間の目には判別しにくく、無彩色に見える。２画素単位で赤色リッチな画素とシアン色リッチな画素とが繰り返し配置されているため、人間の目では、これらの細かな色差の違いを識別できず、色差量はプラスマイナス「０」と判断してしまう。
【００１７】
たとえば、前記式（４−１）では、  
ＤＥＳＲ（ｉ）＝ＳＲＣＲ（ｉ）……（５）  
と、人間の目は間違って判断してしまい、画像情報が埋込まれていることを区別できなくなる。したがって、この原理により、埋込み画像情報１０２を不可視状態で被埋込み画像情報１０１に埋込んだ合成画像情報を作ることが可能になる。
【００１８】
さらに、この合成画像情報は、画素単位ではＲ，Ｇ，Ｂの３色成分で構成されているが、被埋込み画像情報１０１は無彩色化されているため、できあがった合成画像情報も人の目には白黒の無彩色に見える。そのために、カラー複写機などを用いて自動モードでコピーした場合、色差情報はコピーされず、合成画像情報をそのまま無意識にコピーされることはなく、セキュリティ性が著しく高くなっている。
【００１９】
最後に、記録処理ステップ１０９において、重畳処理ステップ１０８で作成された合成画像情報を身分証明書などの記録媒体に記録（印刷）する。
【００２０】
次に、上記ようにして作成され、記録媒体に記録された合成画像情報から埋込み画像情報１０２を復元して、埋込み情報を再生する方法について説明する。
【００２１】
記録された合成画像情報は、図７に示すようなデータ値を持っている。そこで、図２のマスク画像情報１０３を反転させたものを透明シート上に印刷したマスクシートを用意して、合成画像情報の上に物理的に重ねる。この結果を図８に示す。図２のマスク画像情報１０３を反転させてあるので、マスク画像情報１０３のデータ値＝１の部分は透けて、合成画像情報のデータが見え（図８の白抜き部分）、マスク画像情報１０３のデータ値＝０の部分は下の合成画像情報を遮蔽する（図８の斜線部分）。
【００２２】
マスクシートで遮蔽されているため、白抜きの部分のみしか実際には見えないので、白抜きの部分のみに着目すると、埋込み画像情報の周辺部分はデータ値＝７９となり、埋込み画像情報の部分はデータ値＝１７５となり、これらの濃度値の差により埋込み画像情報の形状を目視で認識できるようになる。
【００２３】
図８は、赤成分のみを示しているが、他の青成分、緑成分も同様に濃度値の差が生じる。ただし、前記式（３−１）〜（３−６）に示すように、赤成分と青成分・緑成分の埋込み色差量の符号は逆になっているので、人の目にはシアン色の背景に赤色の埋込み画像が浮き出て見えることになる。
【００２４】
合成画像情報は、人の目には白黒の無彩色に見えるので、マスクシートを重ねて、埋込み画像情報を復元した場合、上記のようにシアン色の背景に赤い色の画像が浮き出て見え、そのため非常にインパクトが強く、検査官が判断しやすい状態となる。
【００２５】
なお、合成画像情報およびマスクシートは、画素間ピッチのずれなどが生じないため、同じプリンタにより同じ解像度で出力された方が望ましい。本実施の形態では、昇華形熱転写プリンタを用いて４００ｄｐｉの解像度で動作を確認した。
【００２６】
次に、第２の実施の形態について説明する。  
第２の実施の形態は、上述した第１の実施の形態の画像情報処理方法を身分証明書の偽造防止に応用したものであり、以下、それについて詳細に説明する。
【００２７】
図９は、複数頁からなる冊子状の身分証明書１の一例を示す。本実施の形態では、図１０に示すように、第１ページ目２および第ｎページ（最終ページ）目３にそれぞれ所持者本人の顔写真４，５が印刷記録してある。１ページ目２の顔写真４は、通常のカラー顔写真が印刷してあり、第ｎページ（最終ページ）目３の顔写真５は、前述した第１の実施の形態の画像情報処理方法を用いて、１ページ目２の顔写真４を白黒の無彩色画像情報に変換した後、セキュリティ情報を埋込んで印刷記録してある。
【００２８】
なお、埋込むセキュリティ情報としては、所持者本人の氏名、生年月日、本籍地などのある程度本人固有の情報を埋込むのがセキュリティ性向上のために望ましい。
【００２９】
１ページ目２の顔写真４は、この身分証明書１の所有権（使用者）を認証するために用いられ、最終ページ目３の顔写真５は、１ページ目２の顔写真４を保証するために用いられる。一般に、顔写真などに不可視状態でセキュリティ情報を埋込む技術においては、できあがった合成画像情報と画質と埋込まれたセキュリティ情報の強度は相反していて、セキュリティ強度を強くすると、合成画像情報の画質が劣化する。
【００３０】
第２の実施の形態では、本人認証用の顔写真画像とセキュリティ用の顔写真画像とに役割分担させることにより、写真の画質とセキュリティの強度を両立させることが可能になる。
【００３１】
また、最終ページ目３の無彩色の写真画像５は、人の目で見ると白黒画像に見えるが、前述のようにＲ，Ｇ，Ｂ（または、Ｃ，Ｍ，Ｙ）の３原色で構成されているので、１ページ目２の写真画像４と同時に通常のカラープリンタなどで記録出力が可能であり、装置の共通化が可能なので、非常に経済的である。
【００３２】
第２の実施の形態では、本人認証用画像および本人認証用画像を保証するための画像の２種類を用いるが、必ずしも第１ページ目２と最終ページ目３に印刷する必要はない。身分証明書１の中でセキュリティ性の高いページ、たとえば、台紙に透かしが入っているなど、が存在するならば、そのページにセキュリティ画像を印刷することにより、セキュリティ性を更に高めることが可能になる。
【００３３】
第２の実施の形態では、第１の実施の形態の画像情報処理方法を用いているが、前述のようにセキュリティ強度と画像の画質とは相反するため、セキュリティ強度を強くすると画像の画質が劣化する。以下、画質劣化の要因を検討する。
【００３４】
前述のように、合成画像情報のデータは最終的に次式（５−１）〜（５−３）で示される。  
ＤＥＳＲ（ｉ）＝ＳＴＬ２Ｒ（ｉ）＋ＳＲＣＲ（ｉ）……（５−１）  
ＤＥＳＧ（ｉ）＝ＳＴＬ２Ｇ（ｉ）＋ＳＲＣＧ（ｉ）……（５−２）  
ＤＥＳＢ（ｉ）＝ＳＴＬ２Ｂ（ｉ）＋ＳＲＣＢ（ｉ）……（５−３）  
ＤＥＳＲ（ｉ）：ｘ＝ｉ画素の重畳処理結果  赤成分  
０〜２５５の範囲の整数  
ＤＥＳＧ（ｉ）：ｘ＝ｉ画素の重畳処理結果  緑成分  
０〜２５５の範囲の整数  
ＤＥＳＢ（ｉ）：ｘ＝ｉ画素の重畳処理結果  青成分  
０〜２５５の範囲の整数  
ＳＲＣＲ（ｉ）：ｘ＝ｉ画素の被埋込み画像情報  赤成分  
０〜２５５の範囲の整数  
ＳＲＣＧ（ｉ）：ｘ＝ｉ画素の被埋込み画像情報  緑成分  
０〜２５５の範囲の整数  
ＳＲＣＢ（ｉ）：ｘ＝ｉ画素の被埋込み画像情報  青成分  
０〜２５５の範囲の整数  
ここで、各項は「０〜２５５」の範囲の値を取るため、たとえば、ＳＴＬ２Ｒ（ｉ）＝４８、ＳＲＣＲ（ｉ）＝２４０の場合、ＤＥＳＲ（ｉ）＝４８＋２４０＝２８８となり、「２５５」を越えてしまう。実際は、「２５５」を越えるとオーバーフローとなり、「２５５」を越えた「３８」は捨てられてしまう。本来ならば、ＤＥＳＲ（ｉ）＝２８８の場合に、埋込みのバランスがとれ、人の目で見えない状態になっているのに、オーバーフローでＤＥＳＲ（ｉ）＝２５５のために、埋込み画像情報（＝セキュリティ情報）が見えてしまう。
【００３５】
これが合成画像情報の画質を劣化させている原因である。この劣化をなくすためには、オーバーフローをなくすような色差量ΔＶの値を小さくする必要があり、ΔＶを小さくするとセキュリティ強度が下がってしまう。今までオーバーフローの場合について説明したが、「０」以下の値になるアンダーフローの場合も同様の現象が起きる。
【００３６】
前述した第１の実施の形態に係る画像情報処理方法においては、色差量ΔＶは図１１（ａ）に示すように、縦軸ＳＲＣ（これは被埋込み画像情報のデータ値を示す）に関係なく、Ｖ0 は一定である。
【００３７】
そこで、色差量ΔＶと被埋込み画像情報のデータ値ＳＲＣとの関係を、図１１（ｂ）に示すように台形にして、「０」付近のアンダーフローが生じそうな領域、および、「２５５」付近のオーバーフローが生じそうな領域に傾斜を持たせて、ΔＶを一定値ではなく、被埋込み画像情報のデータ値に応じて可変させることにより、オーバーフローもしくはアンダーフローが起きなくなり、埋込みのバランスが適正化し、セキュリティ強度を保ったまま合成画像情報の画質を向上させることが可能になる。
【００３８】
しかしながら、この場合でも、被埋込み画像情報のデータ値が「０」または「２５５」ジャストの場合は、埋込みが行なわれなくなってしまうという問題点が生じる。
【００３９】
そこで、さらに図１１（ｃ）に示すように、最小色差量Ｖｍｉｎを設定することにより、これらの問題点を回避できる。Ｖｍｉｎの状態では、厳密にはオーバーフローもしくはアンダーフローが生じるため、図１１（ｂ）の場合と比較すると劣化するが、図１１（ａ）の場合と比較すれば問題ないレベルである。経験的に、Ｖｍｉｎ＝１／２Ｖ0 とすることで、合成画像情報の画質とセキュリティ強度の両立が可能になる。
【図面の簡単な説明】
【００４０】
【図１】本発明の第１の実施の形態に係る画像情報処理方法の流れを説明するためのフローチャート。
【図２】合成画像情報の作成における具体的な計算例を示す図。
【図３】合成画像情報の作成における具体的な計算例を示す図。
【図４】合成画像情報の作成における具体的な計算例を示す図。
【図５】合成画像情報の作成における具体的な計算例を示す図。
【図６】合成画像情報の作成における具体的な計算例を示す図。
【図７】合成画像情報の作成における具体的な計算例を示す図。
【図８】合成画像情報の作成における具体的な計算例を示す図。
【図９】本発明の第２の実施の形態を説明するための身分証明書の一例を概略的に示す図。
【図１０】身分証明書への顔写真の印刷記録を説明するための図。
【図１１】色差量と被埋込み画像情報のデータ値との関係を示す図。
【符号の説明】
【００４１】
１０１……被埋込み画像情報（顔画像情報）、１０２……埋込み画像情報（セキュリティ情報）、１０３……マスク画像情報（パターン画像情報）、１０４……平滑化処理ステップ、１０５……位相変調ステップ、１０６……色差変調ステップ、１０７……無彩色化処理ステップ、１０８……重畳処理ステップ、１０９……記録処理ステップ、１……身分証明書、２……第１ページ目、３……第２ページ目、４……顔写真、５……顔写真（合成画像情報）。
【図１】
2007202209.tif 000003
【図２】
2007202209.tif 000004
【図３】
2007202209.tif 000005
【図４】
2007202209.tif 000006
【図５】
2007202209.tif 000007
【図６】
2007202209.tif 000008
【図７】
2007202209.tif 000009
【図８】
2007202209.tif 000010
【図９】
2007202209.tif 000011
【図１０】
2007202209.tif 000012
【図１１】
2007202209.tif 000013
【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
本人認証のための人物の顔画像および前記人物の顔画像を保証するためにセキュリティ情報を不可視状態で埋込んだ合成画像情報を別の位置にそれぞれ記録したことを特徴とする記録媒体。
【請求項２】
本人認証のための人物の顔画像および前記人物の顔画像を保証するために前記人物の顔画像に対し文字や画像などから構成されたセキュリティ情報を不可視状態で埋込んだ合成画像情報を別の位置にそれぞれ記録したことを特徴とする記録媒体。
【請求項３】
前記人物の顔画像および合成画像情報を別々に記録する際、当該記録媒体の材質を変更することや透かしを入れるなどのセキュリティ性を高める手段が施されている所に記録することを特徴とする請求項１または請求項２記載の記録媒体。
【請求項４】
前記合成画像情報は、人間の視覚的には白黒の無彩色画像情報に見えるが、画素単位では複数の色で構成されるように作成することを特徴とする請求項１または請求項２記載の記録媒体。
【請求項５】
前記セキュリティ情報に氏名、生年月日などの個人情報を用いることを特徴とする請求項１または請求項２記載の記録媒体。
【請求項６】
前記合成画像情報は、人物の顔画像などからなる被埋込み画像情報を無彩色画像情報に変換するとともに、文字や画像などからなる埋込み画像情報により、あらかじめ設定される所定のパターン画像情報に対して変調を施すことによりパターン変調画像情報を作成し、この作成したパターン変調画像情報に所定の色差量を乗じ、この色差量を乗じたパターン変調画像情報を前記無彩色画像情報に変換された被埋込み画像情報に対して重畳してなることを特徴とする請求項２記載の記録媒体。
【手続補正３】
【補正対象書類名】明細書
【補正対象項目名】０００１
【補正方法】変更
【補正の内容】
【０００１】
本発明は、本発明は、たとえば、主画像情報（人物の顔画像など）に別の付加的な画像情報（セキュリティ情報など）を重畳して記録するための画像情報処理方法を適用した証明書等の記録媒体に関する。
【手続補正４】
【補正対象書類名】明細書
【補正対象項目名】０００４
【補正方法】変更
【補正の内容】
【０００４】
ところが、上述した従来の画像情報の処理技術は、全てカラー画像情報のみ対象になっていて、白黒の無彩色画像情報は対象外であった。  
そこで、本発明は、カラー画像情報と白黒の無彩色画像情報とを区別することなくセキュリティ性の高い偽造防止が実現可能となる証明書等の記録媒体を提供することを目的とする。
【手続補正５】
【補正対象書類名】明細書
【補正対象項目名】０００５
【補正方法】変更
【補正の内容】
【０００５】
本発明の記録媒体は、本人認証のための人物の顔画像および前記人物の顔画像を保証するためにセキュリティ情報を不可視状態で埋込んだ合成画像情報を別の位置にそれぞれ記録したことを特徴とする。
【手続補正６】
【補正対象書類名】明細書
【補正対象項目名】０００６
【補正方法】変更
【補正の内容】
【０００６】
また、本発明の記録媒体は、本人認証のための人物の顔画像および前記人物の顔画像を保証するために前記人物の顔画像に対し文字や画像などから構成されたセキュリティ情報を不可視状態で埋込んだ合成画像情報を別の位置にそれぞれ記録したことを特徴とする。
【手続補正７】
【補正対象書類名】明細書
【補正対象項目名】０００７
【補正方法】変更
【補正の内容】
【０００７】
本発明によれば、カラー画像情報と白黒の無彩色画像情報とを区別することなくセキュリティ性の高い偽造防止が実現可能となる証明書等の記録媒体を提供できる。